(57)【要約】【課題】端末網制御装置から、無線子機装置と無線親機装置の設定を行うことにより、無線テレメータシステムの効率的な導入・設置を可能にし、更には、設置後の不正設置を判別可能とする無線テレメータシステムを提供する。【解決手段】ホストコンピュータ２とのデータ通信に必要な最低限の設定が施された端末網制御装置３は、システム設置時、ホストコンピュータ２から、無線親機装置６、各無線子機装置７に対して設定する必要があるシステム管理情報を取得し、無線親機装置６からは親機無線識別符号を取得する。端末網制御装置６は、これらの情報を保持した状態で、無線子機装置７に対して、当該無線子機装置７に関する子機設定管理情報と親機無線識別符号等の各種設定情報を設定し、無線子機装置７から取得した子機無線識別符号を無線親機装置６へ設定することで、縁組を含む無線テレメータシステムの設置が簡便に行える。【選択図】図４
2008098822.tif 000002
【特許請求の範囲】
【請求項１】
センター側網制御装置に接続されているホストコンピュータと、データ通信回線を介して前記センター側網制御装置に接続された端末網制御装置と、前記端末網制御装置に接続された無線親機装置と、前記無線親機装置に無線にて接続され且つ各々に端末装置が接続された１台以上の無線子機装置とを備えた無線テレメータシステムにおいて、
前記ホストコンピュータは前記システムを構成する前記各装置の設定管理情報であるシステム管理情報を記憶しており、
前記無線子機装置は、前記端末装置及び前記無線親機装置とのデータ通信に使用する通信設定情報と前記端末装置の動作条件を規定する動作設定情報とを記憶する手段を備えており、
前記端末網制御装置は、前記ホストコンピュータが保持する前記システム管理情報を取得する手段と、前記ホストコンピュータより取得した前記システム管理情報を記憶する手段と、前記無線親機装置が保持する親機無線識別符号を取得する手段と、前記無線親機装置より取得した前記親機無線識別符号を記憶する手段と、前記ホストコンピュータより取得した前記システム管理情報に含まれる当該無線子機装置に関する子機設定管理情報と前記無線親機装置より取得した前記親機無線識別符号とを前記無線子機装置に設定する手段と、前記無線子機装置が保持している子機無線識別符号を取得する手段と、前記無線子機装置より取得した前記子機無線識別符号を記憶する手段と、前記無線子機装置より取得した前記子機無線識別符号を前記無線親機装置へ設定する手段を備えること、
を特徴とする無線テレメータシステム。
【請求項２】
前記端末網制御装置は、前記無線子機装置と有線により接続することにより、前記ホストコンピュータより取得した前記子機設定管理情報と前記無線親機装置より取得した前記親機無線識別符号とを前記無線子機装置に備えられた不揮発性メモリへ書き込み可能であることを特徴とする請求項１記載の無線テレメータシステム。
【請求項３】
前記無線子機装置は、前記通信設定情報や前記動作設定情報を記憶する不揮発性メモリ部を脱着可能であり、
前記端末網制御装置は、前記無線子機装置から取り外された前記不揮発性メモリ部を接続可能であり、前記ホストコンピュータより取得した前記子機設定管理情報と前記無線親機装置より取得した前記親機無線識別符号とを当該端末網制御装置に接続された前記不揮発性メモリへ書き込み可能であること、
を特徴とする請求項１記載の無線テレメータシステム。
【請求項４】
前記無線子機装置は、接続される前記端末装置が保持する機器固有情報を取得する手段と、前記端末装置より取得した前記機器固有情報を記憶する手段とを備えており、
前記端末網制御装置において、前記無線子機装置が保持している子機無線識別符号を取得する手段は前記端末装置の前記機器固有情報をも取得し、前記無線子機装置より取得した前記子機無線識別符号を記憶する手段は前記機器固有情報をも記憶し、
前記端末網制御装置は、更に、前記子機無線識別符号と前記機器固有情報とを用いて前記無線子機装置や前記端末装置の不正設置を検出する手段と、前記無線子機装置や前記端末装置の前記不正設置を検出時に前記ホストコンピュータへ不正設置検出を通知する手段を備えること、
を特徴とする請求項１〜３のいずれか１項記載の無線テレメータシステム。
【請求項５】
前記端末網制御装置は、前記端末装置が保持する前記機器固有情報を、無線媒体を介して取得することを特徴とする請求項４記載の無線テレメータシステム。
【請求項６】
前記無線子機装置は、接続される前記端末装置が保持する機器固有情報を取得する手段と、前記端末装置より取得した前記機器固有情報を記憶する手段と、接続される前記端末装置の前記機器固有情報より前記無線子機装置や前記端末装置の不正設置を検出する手段と、前記無線親機装置及び前記端末網制御装置を介して前記ホストコンピュータへ不正設置検出を通知する手段を備えることを特徴とする請求項１〜３のいずれか１項記載の無線テレメータシステム。
【発明の詳細な説明】
【技術分野】
【０００１】
本発明は、センター側網制御装置に接続されているホストコンピュータと、データ通信回線を介して前記センター側網制御装置に接続されている端末網制御装置と、前記端末網制御装置に接続されている無線親機装置と、前記無線親機装置に無線にて接続され且つ各々に端末装置が接続された１台以上の無線子機装置とを備えた無線テレメータシステムに関し、特に、端末網制御装置とガスメータ・水道メータ等の計量装置や警報機等の端末装置間との間に、無線親機装置及び無線子機装置を通じてデータ伝送を行う無線テレメータシステムに関する。
【背景技術】
【０００２】
無線テレメータシステムは、センター側網制御装置とデータ通信回線を介して接続された端末網制御装置、端末網制御装置に接続された無線親機端末、無線親機端末と無線媒体を介してデータ通信を行う複数の無線子機端末、及び端末網制御装置又は無線子機に接続されたガス、水道、電気等のメータ、センサ等の端末機器により構成されている。なお、無線親機端末及び無線子機端末を総称して無線機器とする。
【０００３】
無線テレメータシステムは、詳細には、ガスメータ・水道メータ等の計量装置や警報機、或いはセキュリティ監視を目的とする監視装置などの端末装置を接続する端末網制御装置と、例えばガス供給会社や警備会社等のホストコンピュータ（センターサーバー）に接続されているセンター側網制御装置とを公衆通信回線やインターネット通信回線等のデータ通信回線により接続して構成されており、ホストコンピュータと端末装置間の通信を中継することでホストコンピュータからの自動遠隔検針やセキュリティ映像確認、及びホストコンピュータへのガス漏れ警報通信等を可能にしている。
【０００４】
無線テレメータシステムでは、標準規格ＡＲＩＢ  ＳＴＤ−Ｔ６７Ａに準じた無線通信を行う。無線通信を行うためには、無線親機端末及び無線子機端末を設置する時に、お互いのＩＤ等の識別符号情報を登録しなければならない。両者がお互いの識別符合を取得し、取得した相手の識別符合をメモリに記憶して登録することを、縁組と称する。
【０００５】
この縁組の方法としては、無線親機端末と無線子機端末との間を有線で接続して、お互いの識別符号を交換する方法（特許文献１）、設定器により無線親機端末と各無線子機に識別符号を登録する方法（特許文献２）、或いは無線親機端末及び無線子機端末の専用スイッチを操作することにより、無線通信によって識別符号情報の交換を行い登録する方法等が考案されているが、いずれの方法も作業効率の点で問題があり、特に使用する無線子機端末が増加するに従い、その傾向が顕著となる。そこで、無線親機端末と無線子機端末のお互いの識別情報を無線通信によって登録する方法が考案されている（特許文献３）。
【０００６】
また、テレメータシステムとしてホストコンピュータが子機に接続されたガス、水道、電気等の計量装置のデータを収集するためには、端末網制御装置、無線親機装置、各無線子機端末に対して端末ＩＤやメータインターフェースに関する設定を行う必要があり、縁組作業終了後にホストコンピュータから端末網制御装置、無線親機装置、各無線子機端末に対してデータ通信回線及び無線通信により設定作業を行う必要がある。
【０００７】
しかしながら、無線通信によって縁組処理を行う際に、使用する無線チャネルが他の無線機器により使用中であった場合には、キャリアセンス機能が働き、その無線チャネルを使用できない。そのため、無線通信による縁組処理が実施できず、何度も縁組処理を行う必要がある。また、無線通信を利用して各無線子機端末に対して端末ＩＤやメータインターフェースに関する設定を行う際も、上記同様の問題が発生し、効率的に作業を進めることが難しくなることがある。
【０００８】
また、本テレメータシステム設置後に、無線子機装置を隣の装置に置き換えるといった不正設置について、システム的に判別することが困難であった。
【特許文献１】特開平６−３４８９８６号公報
【特許文献２】特開平６−２８４４７５号公報
【特許文献３】特開２００５−１８４４８０号公報
【発明の開示】
【発明が解決しようとする課題】
【０００９】
そこで、端末網制御装置にホストコンピュータとのデータ通信に必要な最低限の設定を施しておき、システム設置時、端末網制御装置はホストコンピュータから各装置や端末に対して設定する必要がある各種設定管理情報や親機無線識別符号を取得してこれらの情報を保持した状態とし、無線子機装置と無線親機装置の設定を端末網制御装置から行うことにより、無線テレメータシステムの設置の簡便化を図る点で解決すべき課題がある。
【００１０】
本発明の目的は、無線テレメータシステムの簡便且つ効率的な導入・設置を可能にし、更には、設置後の不正設置を判別可能とする無線テレメータシステムを提供することである。
【課題を解決するための手段】
【００１１】
上記の目的を達成するため、本発明による無線テレメータシステムは、センター側網制御装置に接続されているホストコンピュータと、データ通信回線を介して前記センター側網制御装置に接続された端末網制御装置と、前記端末網制御装置に接続された無線親機装置と、前記無線親機装置に無線にて接続され且つ各々に端末装置が接続された１台以上の無線子機装置とを備えた無線テレメータシステムにおいて、前記ホストコンピュータは前記システムを構成する前記各装置の設定管理情報であるシステム管理情報を記憶しており、前記無線子機装置は、前記端末装置及び前記無線親機装置とのデータ通信に使用する通信設定情報と前記端末装置の動作条件を規定する動作設定情報とを記憶する手段を備えており、前記端末網制御装置は、前記ホストコンピュータが保持する前記システム管理情報を取得する手段と、前記ホストコンピュータより取得した前記システム管理情報を記憶する手段と、前記無線親機装置が保持する親機無線識別符号を取得する手段と、前記無線親機装置より取得した前記親機無線識別符号を記憶する手段と、前記ホストコンピュータより取得した前記システム管理情報に含まれる当該無線子機装置に関する子機設定管理情報と前記無線親機装置より取得した前記親機無線識別符号とを前記無線子機装置に設定する手段と、前記無線子機装置が保持している子機無線識別符号を取得する手段と、前記無線子機装置より取得した前記子機無線識別符号を記憶する手段と、前記無線子機装置より取得した前記子機無線識別符号を前記無線親機装置へ設定する手段を備えること、を特徴としている。
【００１２】
ホストコンピュータとのデータ通信に必要な最低限の設定が施された端末網制御装置は、システム設置時、ホストコンピュータから、無線親機装置、各無線子機装置に対して設定する必要がある各種設定管理情報であるシステム管理情報を取得する。また、無線親機装置からは親機無線識別符号を取得し、無線子機装置からは子機無線識別符号を取得する。端末網制御装置は、これらの情報を保持した状態で、無線子機装置に対して、システム管理情報に含まれる当該無線子機装置に関する子機設定管理情報と無線親機装置より取得した親機無線識別符号等の各種設定情報を設定するとともに、無線親機装置に対して、無線子機装置から取得した子機無線識別符号を設定することにより、簡便に無線テレメータシステムの設置を行うことが可能となる。
【００１３】
この無線テレメータシステムにおいて、前記端末網制御装置は、前記無線子機装置と有線により接続することにより、前記ホストコンピュータより取得した前記子機設定管理情報と前記無線親機装置より取得した前記親機無線識別符号とを前記無線子機装置に備えられた不揮発性メモリへ書き込むことができる。即ち、端末網制御装置が無線子機装置へ各種設定情報を設定する際には、無線子機装置とは無線親機装置を通じて通信ができないので、無線子機装置と有線ケーブルにより直接に接続することにより、端末網制御装置がホストコンピュータより取得したシステム管理情報と無線親機装置より取得した親機無線識別符号を無線子機装置に備えられた不揮発性メモリへの書き込みが容易になる。このような接続及び書き込みをすることで、無線子機装置への簡易な設定が可能となる。
【００１４】
この無線テレメータシステムにおいて、前記無線子機装置は、前記通信設定情報や前記動作設定情報を記憶する不揮発性メモリ部を脱着可能であり、前記端末網制御装置は、前記無線子機装置から取り外された前記不揮発性メモリ部を接続可能であり、前記ホストコンピュータより取得した前記子機設定管理情報と前記無線親機装置より取得した前記親機無線識別符号とを当該端末網制御装置に接続された前記不揮発性メモリへ書き込み可能とすることができる。即ち、無線子機装置に脱着可能な不揮発性メモリ部には、端末装置及び無線親機装置とのデータ通信に使用する通信設定情報、即ち自身の通信動作を規定する設定情報や、端末装置の動作を規定する動作設定情報を記憶させることができる。また、端末網制御装置は、無線子機装置から取り外されて当該端末網制御装置に接続された不揮発性メモリ部に、端末網制御装置がホストコンピュータより取得したシステム管理情報と無線親機装置より取得した親機無線識別符号とを書き込むことができる。システム管理情報と無線親機装置より取得した親機無線識別符号が書きこまれた不揮発性メモリ部を無線子機装置へ接続することにより、無線テレメータシステムの無線子機装置の無線親機装置との縁組作業及びシステム設定作業が完了する。
【００１５】
この無線テレメータシステムにおいて、前記無線子機装置は、接続される前記端末装置が保持する機器固有情報を取得する手段と、前記端末装置より取得した前記機器固有情報を記憶する手段とを備えており、前記端末網制御装置において、前記無線子機装置が保持している子機無線識別符号を取得する手段は前記端末装置の前記機器固有情報をも取得し、前記無線子機装置より取得した前記子機無線識別符号を記憶する手段は前記機器固有情報をも記憶し、前記端末網制御装置は、前記子機無線識別符号と前記機器固有情報とを用いて前記無線子機装置や前記端末装置の不正設置を検出する手段と、前記無線子機装置や前記端末装置の前記不正設置を検出時に前記ホストコンピュータへ不正設置検出を通知する手段を備えることができる。この無線テレメータシステムによれば、設置作業時に無線子機装置を端末装置に接続した段階で、無線子機端末から端末装置の保持する機器固有情報を取得させ、取得した端末装置の機器固有情報を無線子機装置が保持する不揮発性メモリに書込んでおく。無線子機装置が保持する不揮発性メモリには無線子機装置の子機無線識別符号も記憶されている。縁組・システム設定作業として本不揮発性メモリを無線子機装置から取り外し、取り外した不揮発性メモリを無線親機装置に接続して行われる設定情報の交換時に、無線親機装置は、不揮発性メモリへ記憶されている端末装置の機器固有情報及び無線子機装置の子機無線識別符号を取得することができる。これにより、端末網制御装置では、無線子機装置において子機無線識別符号と端末装置の機器固有情報とを関連付けて管理することが可能となる。不正設置によりこの組み合わせが崩れた場合には、端末網制御装置はホストコンピュータへ不正設置の発生を通知することにより、ホストコンピュータにおいて不正設置を検出することが可能となる。
【００１６】
無線子機装置が取得・記憶する子機無線識別符号と前記機器固有情報とを利用する上記の無線テレメータシステムにおいて、前記端末網制御装置は、前記端末装置が保持する前記計量装置の前記機器固有情報を、無線媒体を介して取得することができる。ここで、端末網制御装置が、無線子機装置の保持する端末装置の機器固有情報を、無線回線を介して取得することにより、より簡便に不正設置の検出が可能となる。つまり、設置作業完了時に端末網制御装置は、各無線子機装置に割り当てられている端末装置の機器固有情報を取得するために端末装置の機器固有情報を要求する電文を送出することにより、無線親機装置及び無線子機装置を介して当該端末装置の機器固有情報を取得することができる。これにより、端末網制御装置では、無線子機装置において子機無線識別符号と端末装置の機器固有情報とを関連付けて管理することが可能となる。不正設置によりこの組組み合わせが崩れた場合には、端末網制御装置はホストコンピュータへ不正設置の発生を通知することにより、ホストコンピュータにおいて不正設置を検出することが可能となる。
【００１７】
この無線テレメータシステムにおいて、前記無線子機装置は、接続される前記端末装置が保持する機器固有情報を取得する手段と、前記端末装置より取得した前記機器固有情報を記憶する手段と、接続される前記端末装置の前記機器固有情報より前記無線子機装置や前記端末装置の不正設置を検出する手段と、前記無線親機装置及び前記端末網制御装置を介して前記ホストコンピュータへ不正設置検出を通知する手段を備えることができる。この無線テレメータシステムによれば、設置作業の最終段階として、ホストコンピュータより各無線子機装置に対して接続されている端末装置の保持する機器固有情報を取得する電文が送信される。各無線子機装置は接続されている端末装置から機器固有情報を取得し、不揮発性メモリへ記憶する。無線子機装置は定期的に機器固有情報の取得を行い、機器固有情報が変化している場合は不正設置が発生したと判断し、無線親機装置及び端末網制御装置を介してホストコンピュータに対して、不正設置の発生を通知することにより、ホストコンピュータにおいて不正設置を検出することが可能となる。
【発明の効果】
【００１８】
以上説明したように、本発明によれば、ガスメータ・水道メータなどの計量装置や警報機、或いはセキュリティ監視を目的とする監視装置などの端末装置を接続する端末網制御装置と例えばガス供給会社や警備会社などのホストコンピュータ（センターサーバー）に接続されているセンター側網制御装置を公衆通信回線やインターネット通信回線などのデータ通信回線により接続して、ホストコンピュータと端末装置間の通信を中継することでホストコンピュータからの自動遠隔検針やセキュリティ映像確認、端末装置からホストコンピュータへのガス漏れ警報通信などを行うことを可能とするテレメータシステムにおいて、より手軽に無線テレメータシステムの導入・設置が行えるとともに、設置後の不正設置に対しても判別することを可能とする無線テレメータシステムを形成することができる。
【発明を実施するための最良の形態】
【００１９】
以下、添付図面を参照して、本発明による無線テレメータシステムを説明する。本発明による無線テレメータシステムのシステム図を図１に示す。本テレメータシステムは、端末装置としてのガスや水道などの使用量を測定する計量装置１を遠隔より制御するホストコンピュータ（センターサーバー）２、計量装置１が測定した計量データを処理する端末網制御装置３、センターサーバー２からの制御信号を処理するとともに端末網制御装置３との間でデータ通信を処理するセンター側網制御装置４、センター側網制御装置４と端末網制御装置３間でデータ通信を行う際に使用するデータ通信回線５、端末網制御装置３と計量装置１間における無線データ通信を制御する無線親機装置６、及び計量装置１に接続されており端末網制御装置３に接続された無線親機装置６との無線データ通信を制御する無線子機装置７から構成されている。
【００２０】
次に、図２を参照して、本発明における端末網制御装置３の更に具体的な実施例を説明する。端末網制御装置３は、データ通信回線５を介してセンター側網制御装置４（センターサーバー２、共に図１参照）とのデータ通信を可能とする通信回線インターフェース部８と、計量装置１（図１）とのデータ通信を可能とするメータインターフェース部９と、端末網制御装置３がセンター側網制御装置４（センターサーバー２）や計量装置１とのデータ通信を行う際に必要となる設定情報や計量装置１からの計量データを記憶する不揮発性メモリ部１０と、無線子機装置７（図１）から外された不揮発性メモリ部１１を接続する子機メモリインターフェース部１２と、端末網制御装置３の制御プログラムが格納されたＲＯＭ１３と、制御プログラムがプロセス処理時に使用するＲＡＭ１４と、無線子機装置７との無線データ通信を処理する無線回路部１５と、無線電波を送受信するアンテナ部１６と、ユーザーが端末網制御装置３の動作を制御する際に使用する機器操作部１７と、端末網制御装置３の制御状態やデータ通信状態を表示する動作表示部１８と、これらの回路ブロックを統合的に制御しセンター側網制御装置４を介したセンターサーバー２と計量装置１との間のデータ通信を可能とするシステム制御部１９と、外部から供給される直流電源を内部回路が動作するのに必要となる電源電圧へ変換する電源回路部２０とから構成されている。
【００２１】
通信回線インターフェース部８は、端末網制御装置３がセンター側網制御装置４とのデータ通信を行う際に利用するデータ通信回線種別により異なるが、一般公衆回線網を利用する場合は公衆回線接続回路や変復調回路から成るモデム装置により実現される。公衆回線にはアナログ公衆回線・ＩＳＤＮ・携帯電話回線等の各種通信網の利用が想定され、各々の通信網に対応したモデム装置が使用される。
【００２２】
メータインターフェース部９は、端末網制御装置３がガスメータや水道メータ等の計量装置１とデータ通信を行うことを可能とするために、端末網制御装置３に接続される計量装置１によって規定されている物理インターフェースを担保する通信回路から構成されている。
【００２３】
ＲＯＭ１３には本システムの制御内容を規定するプログラムコード、不揮発性メモリ部１０にはセンター側網制御装置４を介したセンターサーバー２とのデータ通信リンクを確立するのに必要となる情報、ＲＡＭ１４にはシステム制御部１９が一時的に保存する必要があるデータを記憶するために、それぞれ、フラッシュメモリやＥＥＰＲＯＭ等の不揮発性メモリや、システムの処理速度を上げ、システム制御部１９が一時的に保持する必要があるデータを記憶するためにＳＲＡＭやＤＲＡＭ等の揮発性メモリから構成されている。
【００２４】
子機メモリインターフェース部１２は、無線子機装置７に関するデータや無線子機装置７に接続されている計量装置１の機器固有情報等が記憶されている無線子機装置７の不揮発性メモリ部１１とのデータ通信を可能とする物理インターフェース回路から構成されている。
【００２５】
無線回路部１５・アンテナ部１６は、特定小電力無線で使用する無線帯域電波の送受信処理を行うためのＲＦ回路から構成されている。
【００２６】
機器操作部１７は、端末網制御装置３の動作モードを設定するＤＩＰスイッチやシステムリセットを制御するタクトスイッチなどから構成されている。
【００２７】
動作表示部１８は、センター側網制御装置４を介したセンターサーバー２及び計量装置１とのデータ通信状態やシステムの電源状態・動作状態などを表示する発光ダイオードにより構成されている。
【００２８】
システム制御部１９は、センター側網制御装置４を介したセンターサーバー２及び計量装置１とのデータ通信や無線回路部１５を介した無線子機装置７とのデータ通信を制御すると共に、動作表示部１８の表示制御やシステム内クロックの制御を行うＣＰＵにより構成されている。
【００２９】
電源回路部２０は、ＡＣ電源装置から供給される直流電源を各回路ブロックが必要とする電源電圧へ変換するためのレギュレータ回路やＤＣ／ＤＣ変換回路から構成されている。
【００３０】
次に、図３を参照して、本発明に用いられる無線子機装置７の具体的な一実施例を説明する。無線子機装置７は、計量装置１が接続可能であり且つ計量装置１とのデータ通信を可能とするメータインターフェース部２１と、端末網制御装置３に内蔵された無線回路部１５（図２参照）とのデータ通信を行う際に必要となる通信設定情報や計量装置１とのデータ通信を行う際に必要となる通信設定情報や計量装置１からの計量データを記憶する不揮発性メモリ部１１と、無線子機装置７の制御プログラムが格納されたＲＯＭ２２と、制御プログラムがプロセス処理時に使用するＲＡＭ２３と、端末網制御装置３に内蔵された無線回路部１５との無線データ通信を処理する無線回路部２４と、無線電波を送受信するアンテナ部２５と、ユーザーが無線子機装置７の動作を制御する際に使用する機器操作部２６と、無線子機装置７の制御状態やデータ通信状態を表示する動作表示部２７と、これらの回路ブロックを統合的に制御し端末網制御装置３や計量装置１間のデータ通信を可能とするシステム制御部２８と、外部から供給される直流電源を内部回路が動作するのに必要となる電源電圧へ変換する電源回路部２９から構成されている。
【００３１】
メータインターフェース部２１は、無線子機装置７がガスメータや水道メータ等の計量装置１とデータ通信を行うことを可能とするために、無線子機装置７に接続される計量装置１によって規定されている物理インターフェースを担保する通信回路から構成されている。
【００３２】
ＲＯＭ２２には無線子機装置７の動作制御内容を規定するプログラムコード、不揮発性メモリ部１１には端末網制御装置３との無線データ通信を確立するのに必要となる情報、ＲＡＭ２３にはシステム制御部２８が一時的に保存する必要があるデータを記憶するために、それぞれ、フラッシュメモリやＥＥＰＲＯＭ等の不揮発性メモリや、システムの処理速度を上げ、システム制御部２８が一時的に保持する必要があるデータを記憶するためにＳＲＡＭやＤＲＡＭ等の揮発性メモリから構成されている。
【００３３】
無線回路部２４・アンテナ部２５は、特定小電力無線で使用する無線帯域電波の送受信処理を行うためのＲＦ回路から構成されている。
【００３４】
機器操作部２６は、無線子機装置７の動作モードを設定するＤＩＰスイッチやシステムリセットを制御するタクトスイッチ等から構成されている。
【００３５】
動作表示部２７は、端末網制御装置３及び計量装置１とのデータ通信状態やシステムの電源状態・動作状態などを表示する発光ダイオードにより構成されている。
【００３６】
システム制御部２８は、端末網制御装置３及び計量装置１とのデータ通信や無線回路を介した無線子機装置７とのデータ通信を制御すると共に、動作表示部２７の表示制御やシステム内クロックの制御を行うＣＰＵにより構成されている。
【００３７】
電源回路部２９は、ＡＣ電源装置から供給される直流電源を各回路ブロックが必要とする電源電圧へ変換するためのレギュレータ回路やＤＣ／ＤＣ変換回路から構成されている。
【００３８】
各装置におけるデータの流れを図４に示す。センターサーバー２は、システムを構成する端末網制御装置３と無線親機装置６と全ての無線子機装置７を管理するための端末ＩＤと各端末のポート設定管理情報を保持しており、これらのデータをもとに各装置とのデータ通信を行う。
【００３９】
端末網制御装置３は、センターサーバー２との接続情報を設定することにより、センターサーバー２とのデータ通信を行うことが可能となる。そこで、本システムでは設置作業時に、先ず、端末網制御装置３にセンター接続情報を設定する必要がある。センター情報を端末網制御装置３へ設定後、端末網制御装置３よりセンターサーバー２に対してシステム管理情報の要求を行い、端末網制御装置３は自身に関するポート設定管理情報及びＩＤを取得すると共に、配下に接続される無線親機装置６及び無線子機装置７に関する設定管理情報及びＩＤ（無線親機端末及び無線子機端末としての端末ＩＤ）やメータインターフェースに関する設定も取得する。無線親機装置６は、予め機器固有の識別符号である親機無線識別符号を記憶しているので、端末網制御装置３は無線親機装置６から親機無線識別符号も取得する。また、無線子機装置７に組み込まれている不揮発性メモリ部１１には子機無線識別符号が予め設定されている。ここで、無線子機装置７に接続されている着脱可能な不揮発性メモリ部１１を端末網制御装置３へ接続することにより、端末網制御装置３は当該無線子機装置７の子機無線識別符号を取得するとともに、センターサーバー２から事前に取得している無線子機装置７に関するポート設定情報（無線子機装置のメータインターフェースに関する設定管理情報）及び無線子機端末ＩＤ、並びに無線親機装置６から取得した親機無線識別符号を、無線子機装置７の不揮発性メモリ部１１へ設定する。また、端末網制御装置３は、無線子機装置７より取得した子機無線識別符号を無線親機装置６へ設定する。これにより、無線親機装置６と無線子機装置間７での識別符号の交換、即ち縁組作業が完了するとともに、無線親機装置６及び無線子機装置７の端末ＩＤ及びポートに関する設定も完了する。
【００４０】
システムとして複数台の無線子機装置７でシステムが構成される場合は、各無線子機装置７に対してポート設定及び縁組を実施する必要がある。前述の手順後は、端末網制御装置３の不揮発性メモリ部１０にシステムを構成する全端末の設定情報、即ち、システム管理情報が記憶されているので、各無線子機装置７に接続されている不揮発性メモリ部１１を順次入れ替えながら端末網制御装置３へ接続していくことにより、各無線子機装置７のポート設定及び縁組設定を行うことが可能となる。
【００４１】
このように、一旦、端末網制御装置３へ全システム構成端末の設定管理情報であるシステム管理情報をダウンロードし、各無線子機装置７の不揮発性メモリ部１１のみを子機メモリインターフェース部１２において端末網制御装置３へ着脱・接続して、情報設定及び縁組設定を行っているので、各無線子機装置７の設定作業に関する作業時間を大幅に短縮することが可能となる。
【００４２】
また、無線子機装置７を計量装置１と接続した際に、計量装置１が保持する製造番号等の機器固有情報を無線子機装置７が取得しておき、端末網制御装置３が無線親機装置６を介して当該無線子機装置７から計量装置１の機器固有情報を取得することにより、端末網制御装置３は、「計量装置１の固有情報である機器固有情報」、「子機無線識別符号」及び「無線子機端末ＩＤ」の相互の間を関連づけて管理することが可能となる。これにより、システム設置後に計量装置１を別の装置にすり替えられたり、近傍の計量装置１と入れ替えられたりといった不正設置が発生しても、定期検針動作の際に端末網制御装置３が当該無線子機装置７に接続されている計量装置１から機器固有情報を取得し、自身の不揮発性メモリ部１０と機器固有情報の照合を行うことにより、不正設置の発生を確認することが可能となる。不正設置が発生していた場合、端末網制御装置３は、当該不正設置された計量装置１と接続される無線子機端末７の端末ＩＤ、及び当該不正設置された計量装置１の固有情報を含むデータを不正設置発生通知信号としてセンターサーバー２へ報知することにより、システム管理者はどの無線子機装置７において不正設置が発生したかを認知することが可能となる。
【００４３】
また、設置時に無線子機装置７が自身に接続されている計量装置１の機器固有情報を自身の不揮発性メモリ部１１へ記憶しておくことにより、不正設置の判定を無線子機装置７で行うことが可能となる。つまり、無線子機装置７が定期的に自身に接続されている計量装置１の機器固有情報を取得し、自身の不揮発性メモリ部１１に保持されている機器固有情報と照合する。不正設置発生時は、自身の無線子機端末ＩＤ及び当該計量装置１の機器固有情報を含むデータを不正設置検出信号として無線親機装置６を介して端末網制御装置３へ通知する。無線子機端末７からの不正設置検出信号を受信した端末網制御装置３は、センターサーバー２に対して当該無線子機装置６の端末ＩＤ及び当該計量装置１の機器固有情報を含むデータを不正設置発生通知信号として報知することにより、システム管理者はどの無線子機装置７において不正設置が発生したかを認知することができる。これにより、無線子機装置７の数が増加しても無線親機装置⇔各無線子機装置間でやり取りされるデータトラフィックを増加させなくても済むようになる。
【００４４】
また、端末網制御装置３の不揮発性メモリ部１０を着脱できる構造とすることにより、端末網制御装置３が故障した際に、設置時にダウンロードした全システム構成端末の設定管理情報、即ちシステム管理情報、及び全無線子機端末との縁組情報が記憶されている不揮発性メモリ部のみを交換することにより、新たな縁組作業を実施することを回避することが可能となる。
【図面の簡単な説明】
【００４５】
【図１】本発明による無線テレメータシステムのシステムブロック図例。
【図２】本発明における端末網制御装置＋無線親機装置の回路ブロック図例。
【図３】本発明における無線子機装置の回路ブロック図例。
【図４】本発明の各端末における設定データの流れ例。
【符号の説明】
【００４６】
１  計量装置                        ２  ホストコンピュータ（センターサーバー）  ３  端末網制御装置                  ４  センター側網制御装置
５  データ通信回線                  ６  無線親機装置
７  無線子機装置                    ８  通信回線インターフェース部
８  子機メモリインターフェース部  １０  不揮発性メモリ部
１１  不揮発性メモリ部              １２  子機メモリインターフェース部
１３  ＲＯＭ                        １４  ＲＡＭ
１５  無線回路部                    １６  アンテナ部
１７  機器操作部                    １８  動作表示部
１９  システム制御部                ２０  電源回路部
２１  メータインターフェース部      ２２  ＲＯＭ
２３  ＲＡＭ                        ２４  無線回路部
２５  アンテナ部                    ２６  機器操作部
２７  動作表示部                    ２８  システム制御部
２９  電源回路部
【図１】
2008098822.tif 000003
【図２】
2008098822.tif 000004
【図３】
2008098822.tif 000005
【図４】
2008098822.tif 000006